(57)【要約】【課題】ツイータの向きを任意に変えられ、しかも接続コードが断線することのない複合型スピーカの配線構造を提供する。【解決手段】ウーハの前方にツイータ４を配置し、ツイータ４の向きを可変とした複合型スピーカにおいて、ツイータ４に断面が円弧状に形成された１対の入力端子６、６を固定し、前記ウーハに支持された固定支柱７に入力端子６、６の外面と面接触する一対の金属片８、８を固定し、前記入力端子６、６と金属片８、８とを摺接するようにして固定支柱７によりツイータ４を支持させ、入力端子６、６と金属片８、８を介してツイータ４に給電するように構成した。【選択図】　　　　図１
2004015148.tif 000002
【特許請求の範囲】
【請求項１】
ウーハの前方にツイータを配置し、前記ツイータの向きを可変とした複合型スピーカにおいて、前記ツイータに断面が円弧状に形成された１対の入力端子を固定し、前記ウーハに支持された固定支柱に前記入力端子の外面と面接触する一対の第１の金属片を固定し、前記入力端子と第１の金属片とを摺接するようにして前記固定支柱により前記ツイータを支持させ、前記入力端子と第１の金属片を介して前記ツイータに給電するように構成した複合型スピーカの配線構造。
【請求項２】
ウーハの前方にツイータを配置し、前記ツイータの向きを可変とした複合型スピーカにおいて、前記ツイータに断面が円弧状に形成された１対の入力端子を固定し、可動支柱に前記入力端子の外面および前記ウーハに支持された固定支柱に設けられた一対の第１の金属片の夫々と回動軸が非平行となるように回動して摺接する一対の第２の金属片を固定し、前記固定支柱および可動支柱により前記ツイータを支持させ、前記入力端子と前記第１および第２の金属片とを介して前記ツイータに給電するように構成した複合型スピーカの配線構造。
【請求項３】
前記入力端子と第１の金属片または第２の金属片との摺接面または第１の金属片と第２の金属片との摺接面に凹凸嵌合による位置決め手段を設けた請求項１または２の複合型スピーカの配線構造。
【発明の詳細な説明】
【０００１】
【発明の属する技術分野】
この発明は複合型スピーカに係わり、特に、ウーハに対してツイータの向きを可変とした複合型スピーカの配線構造に関する。
【０００２】
【従来の技術】
ウーハの前方にツイータを向きを可動に配置した従来の複合型スピーカの例を図６により説明する。図６ではウーハの全体を図示していないが、ウーハのヨーク２に固着されたポールピース３に支柱２２が立設されている。ツイータ２０のケース２１には押え部材２３の穴２３ａを挿通させた状態で球状頭部を有する脚２１ａが固着される。
【０００３】
そして、押え部材２３は支柱２２に嵌合させた状態で固定され、押え部材２３および支柱２２に形成された夫々の半球面で脚２１の球状頭部を押えてツイータ２０が支柱２２に支持される。ツイータ２０に給電する接続コード９はポールピース３、支柱２２および球状頭部を有する脚２１に設けられた穴を挿通してツイータ２０の入力端子に接続される。
【０００４】
このようにツイータ２０は脚２１の球状頭部が面接触するようにして支持されているので、球面に従って向きを自在に傾斜でき、ツイータ２０から放射される高指向性の高音を好みの方向に放射させることができる。
【０００５】
【発明が解決しようとする課題】
上記した従来の複合型スピーカの配線構造では可動のツイータ２０に接続コード９が直接接続しているために、ツイータ２０の向きを変えるときに、接続コード９が曲げられたり捩じられたりする。このようにツイータ２０の向きを変える度に接続コード９が変形されるので長期間使用する内に接続コード９が断線するという問題があった。
【０００６】
この発明は上記した点に鑑みてなされたものであって、その目的とするところは、ツイータの向きを任意に変えられ、しかも接続コードが断線することのない複合型スピーカの配線構造を提供することにある。
【０００７】
【課題を解決するための手段】
この発明の複合型スピーカの配線構造は、ウーハの前方にツイータを配置し、前記ツイータの向きを可変とした複合型スピーカにおいて、前記ツイータに断面が円弧状に形成された１対の入力端子を固定し、前記ウーハに支持された固定支柱に前記入力端子の外面と面接触する一対の第１の金属片を固定し、前記入力端子と第１の金属片とを摺接するようにして前記固定支柱により前記ツイータを支持させ、前記入力端子と第１の金属片を介して前記ツイータに給電するように構成したものである。
【０００８】
また、この発明の複合型スピーカの配線構造は、ウーハの前方にツイータを配置し、前記ツイータの向きを可変とした複合型スピーカにおいて、前記ツイータに断面が円弧状に形成された１対の入力端子を固定し、可動支柱に前記入力端子の外面および前記ウーハに支持された固定支柱に設けられた一対の第１の金属片の夫々と回動軸が非平行となるように回動して摺接する一対の第２の金属片を固定し、前記固定支柱および可動支柱により前記ツイータを支持させ、前記入力端子と前記第１および第２の金属片とを介して前記ツイータに給電するように構成したものである。
【０００９】
また、前記各複合型スピーカの配線構造において、前記入力端子と第１の金属片または第２の金属片との摺接面または第１の金属片と第２の金属片との摺接面に凹凸嵌合による位置決め手段を設けたものである。
【００１０】
【発明の実施の形態】
この発明の実施例である複合型スピーカを図面に基づいて説明する。図１はこの発明の第１の実施例である複合型スピーカを示す分解斜視図、図２（ａ）は同複合型スピーカの部材を示す側面図、図２（ｂ）は同部材を示す底面図、図３（ａ）は同複合型スピーカの他の部材を示す断面図、図３（ｂ）は同部材を示す平面図、図４は同複合型スピーカの一部を切欠いて示す斜視図である。
【００１１】
先ず、図４により同複合型スピーカの全体の構成を説明する。ウーハ１のヨーク２に立設されたポールピース３には固定支柱７が固着されており、固定支柱７によりツイータ４が可動に支持されている。固定支柱７に設けられた第１の金属片８、８はツイータ４の入力端子６、６と接触しており、金属片８、８には接続コード９、９が接続されている。接続コード９、９、金属片８、８および入力端子６、６を介してツイータ４に給電される。
【００１２】
次に、図１〜３によりツイータ４の支持構造を詳細に説明する。図１に示すように、固定支柱７の上部には支持座７ａ、７ａが対向するように形成されており、支持座７ａ、７ａの対向面には円弧状凹部７ｂ、７ｂが形成されている。支持座７ａ、７ａの上面は球面に形成されており、第１の金属片８、８が張り付けられている。第１の金属片８、８には接続コード９、９が接続されている。
【００１３】
ツイータ４のケース５は球面形状となっており、開口部５ａ、５ａが形成されている。開口部５ａ、５ａの底には球面形状の入力端子６、６が配置されている。開口部５ａ、５ａの広幅部から支持座７ａ、７ａを挿入してツイータ４を回動させることにより円弧状凹部７ｂ、７ｂに開口部５ａ、５ａの縁を嵌合させて支持座７ａ、７ａによりケース５を支持させる。なお、円弧状凹部７ｂ、７ｂに開口部５ａ、５ａの縁を嵌合させた後にツイータ４に図示していないストッパを取付けツイータ４が支持座７ａ、７ａが外れないようにする。
【００１４】
このように入力端子６、６が金属片８、８と摺接するようにしてツイータ４が支持されツイータ４の向きが可変となっているが、ツイータ４の向きを安定させるために入力端子６、６が金属片８、８とは凹凸部が嵌合する。
【００１５】
すなわち、図２に示すように入力端子６はスリット６ｂ、６ｂの間が弾性変形可能なっており、その部分に凸部６ａが形成されている。また、図３に示すように第１の金属片８には凹部８ａ、８ａ…が一列に形成されている。ツイータ４の向きを変えると凸部６ａの嵌合する凹部８ａ、８ａ…の位置が変わり、その位置でツイータ４が安定して支持される。このように、ツイータ４の向きを変えることができるが、ツイータ４の向きを変えるときに接続コード９、９が変形しないので、長期間使用しても接続コード９、９が断線することがない。
【００１６】
図５はこの発明の第２の実施例である複合型スピーカを示す分解斜視図である。この例ではツイータ４と固定支柱７は第１の実施例と同様の構造をしており、固定支柱７はウーハのヨーク２に立設されたポールピース３に固定されている。
【００１７】
ツイータ４と固定支柱７の間に可動支柱１０が嵌着される。可動支柱１０の上部には第１の実施例のツイータ６と嵌合する支持座７ａと同様の上部支持座１０ａが設けられ可動支柱１０の下部には固定支柱７の支持座７ａと嵌合する下部支持座１０ｃが設けられそれらが柱状部１０ｅと一体に形成されている。
【００１８】
このようにツイータ４は可動支柱１０の上部支持座１０ａに設けられた上部円弧状凹部１０ｂと嵌合して回動自在に支持され、可動支柱１０はその下部支持座１０ｃに設けられた下部円弧状凹部１０ｄが固定支柱７の支持座７ａと嵌合して回動自在に支持されているが、それらの回動軸は９０°だけずれているため、ツイータ４を部分球面上の任意の向きに向けることができる。
【００１９】
可動支柱１０の上部支持座１０ａの上面と下部円弧状凹部１０ｄの上面に貼着された第２の金属片１１は上下方向に延びる部分で一体に連なっており、第２の金属片はツイータ４の入力端子６と接続コード９の接続された第１の金属片８と接触する。すなわち、ツイータ４には接続コード９、第１の金属片８、第２の金属片１１および入力端子６を介して給電される。なお、図示していないが、これらの金属片等が接触して摺動するときの位置決め部材も第１の実施例と同様に設けられている。
【００２０】
このように、ツイータ４は部分球面上の任意の向きに向けることができるが、ツイータ４の向きを変えるときに接続コード９、９が変形しないので、長期間使用とても接続コード９、９が断線することがない。
【００２１】
【発明の効果】
この発明の複合型スピーカの配線構造によれば、ツイータの向きを変えて音の放射方向を変えることができる。しかもツイータの向き多回数変えても接続コードが断線することがない。
【図面の簡単な説明】
【図１】この発明の第１の実施例である複合型スピーカを示す分解斜視図である。
【図２】図２（ａ）は同複合型スピーカの部材を示す側面図、図２（ｂ）は同部材を示す底面図である。
【図３】図３（ａ）は同複合型スピーカの他の部材を示す断面図、図３（ｂ）は同部材を示す平面図である。
【図４】同複合型スピーカの一部を切欠いて示す斜視図である。
【図５】この発明の第２の実施例である複合型スピーカを示す分解斜視図である。
【図６】図６（ａ）は従来の複合型スピーカの例を示す分解斜視図、図６（ｂ）は同複合型スピーカを示す斜視図である。
【符号の説明】
１　ウーハ
２　ヨーク
３　ポールピース
４　ツイータ
５　ケース、５ａ　開口部
６　入力端子、６ａ　凸部、６ｂ　スリット
７　固定支柱、７ａ　支持座、７ｂ　円弧状凹部
８　第１の金属片、８ａ　凹部
９　接続コード
１０　可動支柱　１０ａ　上部支持座、１０ｂ　上部円弧状凹部
１０ｃ　下部支持座、１０ｄ　下部円弧状凹部、１０ｅ　柱状部
１１　第２の金属片
２０　ツイータ
２１　ケース、２１ａ　球状頭部を有する脚
２２　支柱
２３　押え部材、２３ａ　穴
【図１】
2004015148.tif 000003
【図２】
2004015148.tif 000004
【図３】
2004015148.tif 000005
【図４】
2004015148.tif 000006
【図５】
2004015148.tif 000007
【図６】
2004015148.tif 000008